(57)【特許請求の範囲】
【請求項１】
左右両側と上向きに突出する第１〜第３端子部を設けたジョイントバスバーをケーシング内に装着して、該ケーシングの左右両側と上側にコネクタ接続部を設けており、
前記ジョイントバスバーは、長方形状のバスバーを長さ方向で３分割し、両側部は左右逆方向に突出する前記第１端子部と第２端子部とすると共に中央部を跨ぐ連結部を該中央部の外側に設け、該中央部は前記第１端子部または第２端子部のいずれか一方の境界位置で切断すると共に他方との境界位置で上向きに突出する第３端子部とし、
かつ、複数本の前記ジョイントバスバーを同一段で並列に設けたジョイントバスバーを上下２段で設け、該上下２段に設けた前記ジョイントバスバーの第３端子部は上向きに突出させ、下段のジョイントバスバーの第３端子部は上段のジョイントバスバーの第３端子部の折り曲げにより生じた空隙部を通して上向きに突出させて、上下段の第３端子部を同一高さ位置に並列していることを特徴とするジョイントコネクタ。
【発明の詳細な説明】
【技術分野】
【０００１】
本発明はジョイントコネクタに関し、詳しくは接続する複数のワイヤハーネス端末のコネクタをジョイントコネクタに三次元的に嵌合接続できるものである。
【背景技術】
【０００２】
自動車に配索する複数のワイヤハーネスの接続を行うジョイントコネクタは、例えば図６に示すように、接続する複数のワイヤハーネスＷ／Ｈ１、Ｗ／Ｈ２の端末のコネクタ１１０、１１１をそれぞれ嵌合接続するコネクタ接続部１０３、１０４をジョイントコネクタ１００のケーシング１０１に設けると共に、ケーシング１０１内に装着したジョイントバスバー１０２の端子部１０２ａ、１０２ｂをコネクタ接続部１０３、１０４内に突出させ、コネクタ接続部１０３、１０４に嵌合したコネクタ１１０、１１１の端子部(図示せず)と電気接続させている。即ち、ジョイントコネクタ１００内のジョイントバスバー１０２を介して複数のワイヤハーネスＷ／Ｈ１、Ｗ／Ｈ２を接続しており、ジョイントバスバー１０２の形状によりジョイントコネクタ１００に嵌合するコネクタ１１０、１１１の端子間接続パターンが定められる。
【０００３】
しかし、前記ジョイントバスバーの形状によって複雑な端子間接続パターンを実現することはジョイントバスバーの設計上難しく、特に、ワイヤハーネス端末のコネクタが図６のように上下複数段のキャビティ１１２を備えたコネクタ１１０、１１１である場合、従来のジョイントコネクタ１００では、左右２方向からのワイヤハーネス接続にしか対応できない。即ち、ジョイントコネクタ１００のケーシング１０１内に装着する上下複数段のジョイントバスバー１０２は端子部１０２ａ、１０２ｂを左右２方向に突出させることしかできないため、接続するワイヤハーネスＷ／Ｈ１、Ｗ／Ｈ２の端末のコネクタ１１０、１１１も、ケーシング１０１の左右両側に設けたコネクタ接続部１０３、１０４に左右２方向から二次元的に嵌合接続する構造をとらざるを得ない。よって、従来のジョイントコネクタでは、上下複数段のキャビティを有するコネクタを３方向から三次元的に嵌合接続することができず、車両の種々の回路仕様に十分対応できないという問題がある（特開２００９−１７６６８８号公報参照）。
【先行技術文献】
【特許文献】
【０００４】
【特許文献１】特開２００９−１７６６８８号公報
【発明の概要】
【発明が解決しようとする課題】
【０００５】
本発明は前記問題に鑑みてなされたもので、上下複数段のキャビティを備えたワイヤハーネス端末のコネクタを少なくとも３方向から３次元的に嵌合接続することが可能なジョイントコネクタを提供することを課題としている。
【課題を解決するための手段】
【０００６】
本発明は前記課題を解決するため、左右両側と上向きに突出する第１〜第３端子部を設けたジョイントバスバーをケーシング内に装着して、該ケーシングの左右両側と上側にコネクタ接続部を設けており、
前記ジョイントバスバーは、長方形状のバスバーを長さ方向で３分割し、両側部は左右逆方向に突出する前記第１端子部と第２端子部とすると共に中央部を跨ぐ連結部を該中央部の外側に設け、該中央部は前記第１端子部または第２端子部のいずれか一方の境界位置で切断すると共に他方との境界位置で上向きに突出する第３端子部とし、
かつ、複数本の前記ジョイントバスバーを同一段で並列に設けたジョイントバスバーを上下２段で設け、該上下２段に設けた前記ジョイントバスバーの第３端子部は上向きに突出させ、下段のジョイントバスバーの第３端子部は上段のジョイントバスバーの第３端子部の折り曲げにより生じた空隙部を通して上向きに突出させて、上下段の第３端子部を同一高さ位置に並列していることを特徴とするジョイントコネクタを提供している。
【０００７】
前記のように本発明では、ジョイントコネクタのケーシング内に装着するジョイントバスバーとして長方形状のバスバーを長さ方向で３分割し、両側部を左右逆方向に突出する第１端子部および第２端子部とする一方、中央部を前記第１端子部または第２端子部のいずれか一方との境界位置で切断すると共に他方との境界位置で上向きに折り曲げて、上向きに突出する第３端子部を形成している。また、前記中央部の外側には中央部を跨いで第１端子部と第２端子部とを連結する連結部を設けて第１端子部と第２端子部とを導通させる構成としている。
前記構成により、互いに導通する第１、第２、第３端子部を左右両側方向と上方向の３方向に突出させることができると共に、第３端子部の折り曲げ位置と、該第３端子部の切断位置である第１端子部あるいは第２端子部の内端面との間に、第３端子部と同寸法の矩形状の空隙部が形成されるため、前記ジョイントバスバーを上下複数段で設け下側のジョイントバスバーの第３端子部を上側のジョイントバスバーの前記空隙部を通して上向きに突出させることができる。
【０００８】
即ち、前記構成によれば、複数段の第１、第２端子部を左右両側に突出させるだけでなく、２段の第３端子部を上向きに突出させることができるため、ワイヤハーネス端末のコネクタが上下２段のキャビティを備えたコネクタであっても、左右両側方向および上方向の３方向からコネクタを３次元的にジョイントコネクタに嵌合接続することが可能となる。
【０００９】
前記連結部はコ型で、その両側部が第１端子部と第２端子部の幅方向の外端面に連結すると共に中央連結部は前記中央部の幅方向の外端面と隙間をあけて位置させ、該中央連結部を上向きまたは下向きに折り曲げていることが好ましい。
【００１０】
前記のように、連結部をコ型として中央連結部を前記中央部の幅方向の外端面と隙間をあけて位置させることにより、前記中央連結部のみを上方向または下方向に折り曲げて突出させることが可能となる。また、中央連結部を前記中央部の幅方向の外端面と隙間をあけて位置させることにより、上向きまたは下向きに折り曲げた下段または上段の中央連結部が上段または下段のジョイントバスバーに接触して導通するのを防ぐこともできる。
さらに、前記中央部からなる第３端子部は第１端子部または第２端子部と連続させているため、前記中央連結部と離間させていても第１、第２端子部との導通は確保できる。
【００１１】
また、前記のように中央連結部を折り曲げておくことによって、ジョイントバスバーの前記矩形状の空隙部が隣接するジョイントバスバーの中央連結部で塞がれることがないため、同一段で並列に設けた前記ジョイントバスバーを上下２段で設けても、前記空隙部に下側に配置したジョイントバスバーの第３端子部をスムーズに通すことができる。
【００１２】
前記のように、複数本の前記ジョイントバスバーを同一段で並列に設けたジョイントバスバーを上下２段で設け、該上下２段に設けた前記ジョイントバスバーは前記第３端子部を上下同一方向に突出させている。
【００１３】
かつ、上下２段に設けたジョイントバスバーの第３端子部は上向きに突出させ、下段のジョイントバスバーの第３端子部は上段のジョイントバスバーの第３端子部の折り曲げにより生じた空隙部を通して上向きに突出させて、上下段の第３端子部を同一高さ位置に並列している。
【００１４】
前記構成によれば、ジョイントコネクタのケーシングの左右両側のコネクタ接続部には上下２段の第１、第２端子部を突出させると共に、ケーシング上側のコネクタ接続部には上下２段の第３端子部を突出させることができる。したがって、ケーシングの左右両側に設けたコネクタ接続部には、例えばエンジンルームハーネス端末およびインパネハーネス端末の上下２段のキャビティを備えたコネクタを左右両側方向からそれぞれ嵌合できると共に、ケーシングの上側に設けたコネクタ接続部には、例えばフロアハーネス端末の上下２段のキャビティを備えたコネクタを上方向から嵌合させることができる。
【００１５】
また、前記のようにジョイントバスバーを上下２段に設け、第３端子部を共に上向きに突出させるような場合、上下段のジョイントバスバーのベース板（中央部の切断、折り曲げや中央連結部の折り曲げを行う前の打ち抜き状態の導電性金属板）として同形、同寸法のベース板を用いることができる。この際、上下一方のジョイントバスバーのベース板は、他方のジョイントバスバーのベース板を１８０度回転させた位置関係で、切断、折り曲げ等の加工を行うことが好ましい。
また、下段のベース板における中央部の長さが上段のベース板における中央部の長さより大となるように、中央部と第１端子部との境界位置および中央部と第２端子部との境界位置を適宜設定することが好ましい。これにより、下段の第３端子部の長さを上段の第３端子部の長さより大として、上向きに突出する上下段の第３端子部を同一高さに並列させることができる。
さらに、前記連結部の中央連結部の折り曲げ方向は上向きでも下向きでもよいが、好ましくは上段のジョイントバスバーの中央連結部は下向きに折り曲げ、下段の中央連結部は上向きに折り曲げることにより上下段のジョイントバスバーをコンパクトに配置することができる。
【００１６】
本発明のジョイントコネクタは、成形金型内に前記ジョイントバスバーを配置して樹脂モールド成形により一体的に形成することが好ましい。この際、ジョイントバスバーのうち、ケーシングのコネクタ接続部内に突出させる所要長さの第１、第２、第３端子部以外の部分は樹脂に埋設されることが好ましい。
【発明の効果】
【００１７】
前記のように、本発明によれば、ジョイントコネクタのケーシング内に装着するジョイントバスバーは、互いに導通する第１、第２、第３端子部を左右両側方向と上方向の３方向に突出させることができると共に、第３端子部の折り曲げ位置と、該第３端子部（中央部）の切断位置である第１端子部あるいは第２端子部の内端面との間に矩形状の空隙部が形成されるため、前記ジョイントバスバーを上下２段で設けた場合でも、下側のジョイントバスバーの第３端子部を上側のジョイントバスバーの前記空隙部を通して上向きに突出させることができる。
【００１８】
よって、本発明によれば、複数段の第１、第２端子部を左右両側に突出させるだけでなく、複数段の第３端子部を上向きに突出させることができるため、ワイヤハーネス端末のコネクタが上下２段のキャビティを備えたコネクタであっても、左右両側方向および上方向の３方向からコネクタを３次元的にジョイントコネクタに嵌合接続することが可能となる。
【図面の簡単な説明】
【００１９】
【図１】本発明の実施形態のジョイントコネクタを示し、（Ａ）は斜視図、（Ｂ）はＡ−Ａ線断面図である。
【図２】上段のジョイントバスバーの形成工程を示し、（Ａ）はベース板の斜視図、（Ｂ）は上段のジョイントバスバーの最終形状を示す斜視図である。
【図３】下段のジョイントバスバーの形成工程を示し、（Ａ）はベース板の斜視図、（Ｂ）は下段のジョイントバスバーの最終形状を示す斜視図である。
【図４】（Ａ）は上段のジョイントバスバーの下側に下段のジョイントバスバーを配置する前の状態を示す斜視図であり、（Ｂ）は上下に配置した後の上下２段のジョイントバスバーを示す斜視図である。
【図５】上下２段のジョイントバスバーを並列させた状態を示す斜視図である。
【図６】従来例を示す図である。
【発明を実施するための形態】
【００２０】
以下、本発明の実施形態を図面を参照して説明する。
図１乃至図５は本発明の実施形態を示す。
本実施形態のジョイントコネクタ１は、図１に示すように、ケーシング２の左右両側に第１コネクタ接続部３、第２コネクタ接続部４を備えると共に、ケーシング２の上側に第３コネクタ接続部５を備えている。本発明のジョイントコネクタ１は、エンジンハーネスである第１ワイヤハーネス２０の端末に接続した第１コネクタ３０と、インパネハーネスである第２ワイヤハーネス２１の端末に接続した第２コネクタ３１と、フロアハーネスである第３ワイヤハーネス２２の端末に接続した第３コネクタ３２を、それぞれ第１コネクタ接続部３、第２コネクタ接続部４、第３コネクタ接続部５に嵌合接続し、ケーシング２内に装着した上下２段のジョイントバスバー６Ａ、６Ｂを介して第１ワイヤハーネス２０と第２ワイヤハーネス２１と第３ワイヤハーネス２２を接続している。なお、第１コネクタ３０、第２コネクタ３１、第３コネクタ３２は、いずれも２段のキャビティ３３を有する１２極のコネクタとし、各キャビティ３３の内部にはメス型の端子金具（図示せず）を収容している。
【００２１】
ジョイントコネクタ１のケーシング２の内部に装着するジョイントバスバー６は、上段に配置するジョイントバスバー６Ａと下段に配置するジョイントバスバー６Ｂとからなり、本実施形態では、図５に示すように、上段のジョイントバスバー６Ａと下段のジョイントバスバー６Ｂをそれぞれ６本並列させている。
上段、下段のジョイントバスバー６Ａ、６Ｂは、図２（Ｂ）、図３（Ｂ）や図４に示す形状を有し、共に、左右逆方向に突出する第１端子部８Ａ、８Ｂおよび第２端子部９Ａ、９Ｂを備えると共に、上向きに突出する第３端子部１０Ａ、１０Ｂを備えている。
【００２２】
上段、下段のジョイントバスバー６Ａ、６Ｂは、導電性金属板を図２（Ａ）、図３（Ａ）に示す形状に打ち抜いたベース板７Ａ、７Ｂから形成している。ベース板７Ａ、７Ｂは同形、同寸法とし、上段のジョイントバスバー６Ａ形成前のベース板７Ａは、下段のジョイントバスバー６Ｂ形成前のベース板７Ｂを１８０度回転させたものに相当する。上段、下段のジョイントバスバー６Ａ、６Ｂを形成するベース板７Ａ、７Ｂは、長方形状部分を長さ方向に３分割して両側部と中央部とに区分し、両側部を左右逆方向に突出するダブ状の第１端子部８Ａ、８Ｂおよび第２端子部９Ａ、９Ｂとすると共に、中央部を上向きに突出するタブ状の第３端子部１０Ａ、１０Ｂとしている。
【００２３】
上段のジョイントバスバー６Ａでは、前記中央部の外側に、該中央部を跨ぎ両側の第１端子部８Ａと第２端子部９Ａとを連結するようにコ型の連結部１１Ａを設けている。連結部１１Ａは両側部１１Ａ−１と中央連結部１１Ａ−２からなり、第１端子部８Ａと第２端子部９Ａの幅方向の外端面に両側部１１Ａ−１を連結し、前記中央部の幅方向の外端面と隙間をあけて中央連結部１１Ａ−２を設けている。
【００２４】
同様に下段のジョイントバスバー６Ｂにおいても、前記中央部の外側に、該中央部を跨ぎ両側の第１端子部８Ｂと第２端子部９Ｂとを連結するようにコ型の連結部１１Ｂを設けている。連結部１１Ｂは両側部１１Ｂ−１と中央連結部１１Ｂ−２からなり、第１端子部８Ｂと第２端子部９Ｂの幅方向の外端面に両側部１１Ｂ−１を連結し、前記中央部の幅方向の外端面と隙間をあけて中央連結部１１Ｂ−２を設けている。
【００２５】
上段のジョイントバスバー６Ａは、図２（Ｂ）に示すように、ベース板７Ａの中央部と第２端子部９Ａとの境界位置１２Ａを切断位置として中央部を切断すると共に、中央部と第１端子部８Ａとの境界位置１３Ａを折り曲げ位置として該中央部を折り曲げて、上向きに突出する第３端子部１０Ａを形成している。また、連結部１１Ａの中央連結部１１Ａ−２と両側部１１Ａ−１との境界位置１４Ａを折り曲げ位置として中央連結部１１Ａ−２を下向きに折り曲げている。
【００２６】
また、下段のジョイントバスバー６Ｂは、図３（Ｂ）に示すように、ベース板７Ｂの中央部と第１端子部８Ｂとの境界位置１２Ｂを切断位置として中央部を切断すると共に、中央部と第２端子部９Ｂとの境界位置１３Ｂを折り曲げ位置として該中央部を折り曲げて、上向きに突出する第３端子部１０Ｂを形成している。また、連結部１１Ｂの中央連結部１１Ｂ−２と両側部１１Ｂ−１との境界位置１４Ｂを折り曲げ位置として中央連結部１１Ｂ−２を上向きに折り曲げている。
【００２７】
図４に示すように、上段のジョイントバスバー６Ａの下側に下段のジョイントバスバー６Ｂを配置し、上段のジョイントバスバー６Ａの第３端子部１０Ａの折り曲げによって生じた矩形状の空隙部１５Ａに、下段のジョイントバスバー６Ｂの第３端子部１０Ｂを通して上向きに突出させ、２段の第３端子部１０Ａ、１０Ｂを同一高さに並列させている。
【００２８】
本実施形態では、上段、下段のジョイントバスバー６Ａ、６Ｂの形成工程において、下段のベース板７Ｂにおける中央部の長さが、上段のベース板７Ａにおける中央部の長さより大となるように、中央部と第１端子部８Ａ、８Ｂとの境界位置１３Ａ、１２Ｂおよび中央部と第２端子部９Ａ、９Ｂとの境界位置１２Ａ、１３Ｂを図２（Ａ）、図３（Ａ）のように設定し、下段の第３端子部１０Ｂの長さを上段の第３端子部１０Ａの長さより大として、上向きに突出する２段の第３端子部１０Ａ、１０Ｂが同一高さに並列するようにしている。
【００２９】
図１に示すジョイントコネクタ１は、図５のように並列した上下２段のジョイントバスバー６Ａ、６Ｂを成形金型内に配置し、樹脂モールド成形によりケーシング２と一体的に形成している。この際、上段、下段のジョイントバスバー６Ａ、６Ｂの所要長さの第１端子部８Ａ、８Ｂをケーシング２の第１コネクタ接続部３内に、所要長さの第２端子部９Ａ、９Ｂを第２コネクタ接続部４に、所要長さの第３端子部１０Ａ、１０Ｂを第３コネクタ接続部５内にそれぞれ突出させ、連結部１１Ａ、１１Ｂを含むその他の部分は樹脂に埋設している。
【００３０】
前記のように、本実施形態では、上段のジョイントバスバー６Ａでは、互いに導通する第１端子部８Ａと第２端子部９Ａと第３端子部１０Ａをそれぞれ左右両側方向と上方向の３方向に突出させると共に、下段のジョイントバスバー６Ｂにおいても、互いに導通する第１端子部８Ｂと第２端子部９Ｂと第３端子部１０Ｂをそれぞれ左右両側方向と上方向の３方向に突出させる構造としている。また、上段のジョイントバスバー６Ａの第３端子部１０Ａの折り曲げによって生じた空隙部１５Ａに下段のジョイントバスバー６Ｂの第３端子部１０Ｂを通すことができるため、２段の第３端子部１０Ａ、１０Ｂを上向きに突出させることが可能となる。よって、接続する第１、第２、第３ワイヤハーネス２０、２１、２２の端末の第１、第２、第３コネクタ３０、３１、３２が本実施形態のように上下２段のキャビティを有する多極コネクタであっても、左右両側方向および上方向の３方向から前記コネクタ３０、３１、３２を３次元的にジョイントコネクタ１に嵌合接続することが可能となる。
【符号の説明】
【００３２】
１  ジョイントコネクタ
２  ケーシング
３  第１コネクタ接続部
４  第２コネクタ接続部
５  第３コネクタ接続部
６Ａ、６Ｂ  ジョイントバスバー
８Ａ、８Ｂ  第１端子部
９Ａ、９Ｂ  第２端子部
１０Ａ、１０Ｂ  第３端子部
１１Ａ、１１Ｂ  連結部
１１Ａ−１、１１Ｂ−１  両側部
１１Ａ−２、１１Ｂ−２  中央連結部
１２Ａ、１２Ｂ  切断位置
１３Ａ、１３Ｂ  折り曲げ位置
１４Ａ、１４Ｂ  折り曲げ位置
１５Ａ  空隙部
【図１】
0005751145.tif 000002
【図２】
0005751145.tif 000003
【図３】
0005751145.tif 000004
【図４】
0005751145.tif 000005
【図５】
0005751145.tif 000006
【図６】
0005751145.tif 000007